(57)【要約】【課題】金銭取扱装置が通信での処理中に携帯電話を移動できないようにする仕組みを提供する。【解決手段】利用者が金銭取扱装置１０３の格納部２０１に携帯電話１０１を置くと、金銭取扱装置１０３は格納部２０１を閉じて施錠する。金銭取扱装置１０３が金銭に係る処理中すなわちリーダ／ライタで携帯電話１０１のＩＣチップに対し読み取り又は書込みを行っている間は格納部２０１を閉じたままにし、処理終了後、金銭取扱装置１０３は格納部２０１を解錠し、利用者は携帯電話１０１を取り出す。【選択図】図２
2011070518.tif 000002
【特許請求の範囲】
【請求項１】
携帯電話と通信を行い、金銭に係る処理を行う金銭取扱装置であって、
開閉機構を有し、前記携帯電話を格納する格納部と、
前記格納部の下部に設けられ、前記携帯電話に記憶されるデータの読み取りおよび／または書き込みを行うリーダ／ライタと、
前記格納部と前記リーダ／ライタを制御し、金銭に係る処理を行う制御部と、
を具備し、
前記制御部は、前記携帯電話が格納されると前記格納部の開閉機構を閉状態とし、一連の処理が終了すると前記格納部の開閉機構を開状態とすることを特徴とする金銭取扱装置。
【請求項２】
前記制御部は、前記リーダ／ライタが前記携帯電話からの電波を複数検知すると、警告を行うとともに、前記格納部の開閉機構を開状態とすることを特徴とする請求項１に記載の金銭取扱装置。
【請求項３】
前記格納部は、前記携帯電話が戴置されるテーブルと、前記テーブルの上部を覆う立体カバーとを備え、
前記格納部の開閉機構は、前記立体カバーを前記テーブルに係り止めする係止部材の鍵を解錠または施錠するものであることを特徴とする請求項１または請求項２に記載の金銭取扱装置。
【請求項４】
前記格納部は、底部に前記携帯電話が戴置されるボックスと、前記ボックスの上部を遮蔽するシャッタとを備え、
前記格納部の開閉機構は、前記シャッタをスライドするものであることを特徴とする請求項１または請求項２に記載の金銭取扱装置。
【請求項５】
前記格納部は、前記シャッタのスライド面を遮る物体を検知する赤外線センサを更に備え、
前記制御部は、前記赤外線センサが物体を検知すると前記格納部の開閉機構を閉状態としないことを特徴とする請求項４に記載の金銭取扱装置。
【請求項６】
前記格納部は、導電性コイルを備えた導電性シールド部材によって覆われていることを特徴とする請求項１から請求項５のいずれかに記載の金銭取扱装置。
【発明の詳細な説明】
【技術分野】
【０００１】
本発明は、携帯電話と通信する際に、携帯電話を格納することによってトランザクションの完全性を保つ金銭取扱装置に関する。
【背景技術】
【０００２】
現在、携帯電話にさまざまなアプリケーションが搭載されるようになってきた。例えば、非接触のＩＣチップが組み込まれるようになった。これは、高いセキュリティが要求される電子マネー等として携帯電話が用いられるようにするためである。
これにより、電子マネーとして携帯電話が電子マネーのチャージ機やＡＴＭ等と通信する必要性が出てきた。通信する場合には、チャージ機やＡＴＭ等のリーダ／ライタの上に携帯電話を置いて非接触通信を行っている。
【０００３】
先行技術として、非接触ＩＣカードによる通信機能を活用したデータ転送装置がある。（特許文献１を参照）
特許文献１に記載されているデータ転送装置は、非接触ＩＣカードチップが搭載された携帯電話に非接触通信でデータを書き込む。
【先行技術文献】
【特許文献】
【０００４】
【特許文献１】特開２００７−１４０８６４号公報
【発明の概要】
【発明が解決しようとする課題】
【０００５】
しかしながら、データ転送装置のリーダ／ライタの上に携帯電話を近接させるだけであると、任意の時にユーザが携帯電話を取り去ることができ、トランザクションの完全性を保つことができない。処理の途中で携帯電話を移動されると、それ以降の処理が実行できなくなり、書き込みが不可能となる。
また、携帯電話はカードのように外形が標準化されていないため、リーダ／ライタを吸い込み型にすることもできない。
【０００６】
本発明は、前述した問題点に鑑みてなされたもので、その目的は金銭取扱装置が通信での処理中に携帯電話を移動できないようにする仕組みを提供することである。ここでは、金銭には、電子マネーや現金を含むものとする。
【課題を解決するための手段】
【０００７】
前述した目的を達成するために第１の発明は、携帯電話と通信を行い、金銭に係る処理を行う金銭取扱装置であって、開閉機構を有し、前記携帯電話を格納する格納部と、前記格納部の下部に設けられ、前記携帯電話に記憶されるデータの読み取りおよび／または書き込みを行うリーダ／ライタと、前記格納部と前記リーダ／ライタを制御し、金銭に係る処理を行う制御部と、を具備し、前記制御部は、前記携帯電話が格納されると前記格納部の開閉機構を閉状態とし、一連の処理が終了すると前記格納部の開閉機構を開状態とすることを特徴とする金銭取扱装置である。これにより、金銭取扱装置が携帯電話と通信による金銭の処理中に利用者が携帯電話を移動することができなくなり、トランザクションの完全性を保つことができる。
【０００８】
また、前記制御部は、前記リーダ／ライタが前記携帯電話からの電波を複数検知すると、警告を行うとともに、前記格納部の開閉機構を開状態とすることが望ましい。これにより、複数の携帯電話を格納したまま処理を行うことがなくなる。
【０００９】
また、前記格納部は、前記携帯電話が戴置されるテーブルと、前記テーブルの上部を覆う立体カバーとを備え、前記格納部の開閉機構は、前記立体カバーを前記テーブルに係り止めする係止部材の鍵を解錠または施錠するものであることが望ましい。これにより、金銭取扱装置が処理中に、利用者が立体カバーを開けて携帯電話を取り出すことができなくなり、トランザクションの完全性を保つことができる。
【００１０】
また、前記格納部は、底部に前記携帯電話が戴置されるボックスと、前記ボックスの上部を遮蔽するシャッタとを備え、前記格納部の開閉機構は、前記シャッタをスライドするものであっても良い。これより、金銭取扱装置が処理中に、利用者がシャッタを開けて携帯電話を取り出すことができなくなり、トランザクションの完全性を保つことができる。
【００１１】
また、前記格納部は、前記シャッタのスライド面を遮る物体を検知する赤外線センサを更に備え、前記制御部は、前記赤外線センサが物体を検知すると前記格納部の開閉機構を閉状態としないことが望ましい。これにより、利用者の手等を誤って挟むことがなくなる。
【００１２】
さらに、前記格納部は、導電性コイルを備えた導電性シールド部材によって覆われていることが望ましい。これにより、格納部の外部にある携帯電話の電波を誤って読み取ることがなくなる。
【発明の効果】
【００１３】
本発明により、携帯電話と通信する際に、携帯電話を格納することによってトランザクションの完全性を保つ金銭取扱装置を提供することができる。
【図面の簡単な説明】
【００１４】
【図１】金銭取扱装置を用いた金銭取扱システムの一例を示すシステム構成図
【図２】金銭取扱装置の外部構成の概要の一例を示す斜視図
【図３】金銭取扱装置の一例を示すブロック図
【図４】金銭取扱装置の格納部の立体カバーが開いた状態を示す図
【図５】金銭取扱装置の格納部の立体カバーが閉じた状態を示す図
【図６】金銭取扱装置の処理の一例を示す第１のフローチャート
【図７】金銭取扱装置の格納部のシャッタが開いた状態を示す図
【図８】金銭取扱装置の格納部のシャッタが閉じた状態を示す図
【図９】金銭取扱装置の処理の一例を示す第２のフローチャート
【発明を実施するための形態】
【００１５】
以下図面に基づいて、本発明の実施形態を詳細に説明する。
【００１６】
図１は、本発明の金銭取扱装置１０３を用いた金銭取扱システムの一例を示すシステム構成図である。
金銭取扱システムは、金銭取扱装置１０３と、サーバ１０７により構成されている。金銭取扱装置１０３とサーバ１０７は、ネットワーク１０５を介して通信可能に接続されている。
格納された携帯電話１０１に対し、金銭取扱装置１０３はネットワーク１０５を介してサーバ１０７から送信されたデータを書き込む。
以下では、金銭に係る処理として、電子マネーの入金（チャージ）処理を例にして説明する。但し、本発明の実施の形態における金銭に係る処理は、これに限定されるものではない。
【００１７】
サーバ１０７は、例えば、携帯電話１０１の電子マネーの残高を管理しており、さらに、金銭取扱装置１０３との間の相互認証や、暗号通信、電子署名を行う実行プログラムや鍵情報等を記憶する。また、携帯電話の識別情報と電子マネーの残高情報を関連付けて記憶するデータベースを有する。
【００１８】
携帯電話１０１は、ＩＣチップを備えており、例えば、電子マネー残高や、自身の識別情報、その他電子マネーのアプリケーションＩＤや金銭取扱装置１０３との間で相互認証や暗号通信、電子署名を行う実行プログラムや鍵情報等を記憶する。
【００１９】
次に、図２、図３を参照しながら、本発明の金銭取扱装置１０３について説明する。
図２は、本発明の金銭取扱装置１０３の外部構成の概要の一例を示す斜視図である。
【００２０】
金銭取扱装置１０３は、外部構成として、主にディスプレイ２０９と、テンキー２０７と、格納部２０１と、印刷物排出口２０５と、リーダ／ライタ２０３とを有する。
ディスプレイ２０９は、例えば液晶ディスプレイであり、電子マネーの残高を表示することができる。他にも、ユーザに通知するメッセージ等、さまざまな情報を表示させることが可能である。
また、ディスプレイ２０９はタッチパネル機能を備え、利用者のタッチ操作により金銭取扱装置１０３に対する指示を行うことができる。
【００２１】
テンキー２０７は、利用者が電子マネーのチャージ金額等の入力を行うための入力部である。
格納部２０１は、携帯電話１０１を格納し、携帯電話１０１のＩＣチップにデータを書き込むために使用される。例えば、図２に示す格納部２０１には、立体カバー４０３とテーブル４０５が備わっている。テーブル４０５の下部にリーダ／ライタ２０３が設けられている。
【００２２】
印刷物排出口２０５は、電子マネーの残高等を印刷した明細書等を排出する排出口である。
リーダ／ライタ２０３は、さまざまな種類の電子マネーの読み取り、書込みに対応する、いわゆるマルチリーダ／ライタに相当する既知の機能を備える。
【００２３】
図３は、金銭取扱装置１０３の一例を示すブロック図である。
金銭取扱装置１０３は、ＣＰＵ３０１、メモリ３０３、リーダ／ライタ部３０５、表示部３０７、通信部３０９、記憶部３１１、データベース３１３、入力部３１５、出力部３１７等を有し、これらがバス３１７により通信可能に接続される構成となっている。
【００２４】
ＣＰＵ３０１は、記憶部３１１等に保存されたデータやプログラム等をメモリ３０３に読み出して、各種の演算および制御を行う。これにより、後述の金銭取扱装置１０３が行う処理を実現する。
メモリ３０３は、ＲＡＭ（ランダムアクセスメモリ）やＲＯＭ（リードオンリーメモリ）からなり、各種のデータやプログラム等を一時的に、あるいは恒久的に保存する。
ＣＰＵ３０１とメモリ３０３は、電子マネーの入金など金銭に係る金銭取扱装置１０３の処理を制御する制御部である。制御部は、図２に示す格納部２０１、リーダ／ライタ２０３などを制御し、金銭に係る処理を行う。
【００２５】
リーダ／ライタ部３０５は、図２に示すリーダ／ライタ２０３であり、ＣＰＵ３０１の制御により、ＩＣチップを備える携帯電話１０１の記憶媒体の情報の読み取りを行ったり、情報を書き込んだりする。
【００２６】
表示部３０７は、図２に示すディスプレイ２０９であり、電子マネー残高等を表示する。また、タッチパネル機能によってユーザ操作を行うための画面を表示する。
【００２７】
通信部３０９は、通信制御装置、通信ポート等を有する。ネットワーク１０５に接続し、各種情報の送受信を行う。
本実施形態では、金銭取扱装置１０３をネットワーク１０５に接続する構成となっているが、これをスタンドアローンとする構成も可能であり、この場合通信部３０９は不要である。
【００２８】
記憶部３１１は、ハードディスク等からなり、各種のデータやプログラムを保存する。また、記憶部３１１はデータベース３１３を保持している。
データベース３１３は、後述の金銭取扱装置１０３の行う処理に用いる各種のデータや処理の履歴情報等を保存しておくためのものである。
本実施形態では、金銭取扱装置１０３が記憶部３１１を内蔵し、記憶部３１１がデータベース３１３を保持する構成となっている。しかし、金銭取扱装置１０３と記憶部３１１とデータベース３１３の構成は様々な形態を取り得る。例えば、記憶部３１１が金銭取扱装置１０３とネットワーク１０５を介して接続する構成や、データベース３１３が記憶部３１１と独立し、金銭取扱装置１０３と接続する構成などが可能である。
【００２９】
入力部３１５は、図２に示すテンキー２０７、ディスプレイ２０９のタッチパネル機能であり、金銭取扱装置１０３へ入力を行うための装置である。
出力部３１７は、例えばプリンタであり、図２に示す印刷物排出口から排出する明細書等の出力を行うための装置である。
バス３１９は、各装置間の制御信号やデータ信号等の授受を媒介する経路である。
【００３０】
続いて、図４、図５を参照しながら、金銭取扱装置１０３の格納部２０１の第１の構成について説明する。
図４は、金銭取扱装置１０３の格納部２０１を構成する立体カバー４０３が開いた状態の外観図である。
【００３１】
格納部２０１は、立体カバー４０３と、テーブル４０５を有する。立体カバー４０３は、第１の係止部材４０１を有し、テーブル４０５は、第２の係止部材４０７を有する。第１の係止部材４０１と第２の係止部材４０７は、立体カバー４０３を閉じたときに第１の係止部材４０１が第２の係止部材４０７にはまり込むことで立体カバー４０３をテーブル４０５に係り止めさせるものである。また、格納部２０１は、第１の係止部材４０１と第２の係止部材４０７の鍵を備える。ＣＰＵ３０１は、格納部２０１を制御し、第１の係止部材４０１と第２の係止部材４０７の鍵を解錠または施錠する。
立体カバー４０３は、透明な材料、例えばプラスチック等で成型したものであることが望ましい。これは、立体カバー４０３を閉じた状態でも利用者が中の携帯電話１０１を目視できるようにするためである。これにより、金銭取扱装置１０３が処理中に、携帯電話１０１に着信またはメール受信等があった場合に利用者が検知でき、処理を中断させる等の対応が可能になる。
【００３２】
さらに、立体カバー４０３は、外部からの電波を遮断するものが望ましい。そのために、立体カバー４０３は、例えば導電性シールド部材で覆われ、導電性シールド部材の導電性コイルに渦電流を発生させて外部電波からの通信を遮断する。これにより、格納部２０１に携帯電話１０１が格納されているときに、立体カバー４０３の外側で他の携帯電話が置かれていても、リーダ／ライタ２０３は外側の携帯電話内のＩＣチップが発する電波を読み取ることがなくなる。
【００３３】
テーブル４０５は、水平な面でできており、テーブル４０５の下部にリーダ／ライタが備えられている。
利用者が携帯電話１０１をテーブル４０５の上に置いて立体カバー４０１を閉じた状態が、図５である。
立体カバー４０１は透明な材料で成型されているため、中の携帯電話１０１が確認できる。第１の係止部材４０１が第２の係止部材４０７にはまり込み、立体カバー４０１はテーブル４０５に係り止めされる。
【００３４】
続いて、図６を参照しながら、本発明の金銭取扱装置１０３の処理の一例について説明する。
図６は、本発明の金銭取扱装置１０３の第１の実施形態に係る処理の流れを示すフローチャートである。
【００３５】
利用者が携帯電話１０１を格納部２０１のテーブル４０５に置き、立体カバー４０３を閉じる（Ｓ６０１）。第１の係止部材４０１と第２の係止部材４０７とで係り止めされると、ＣＰＵ３０１は格納部２０１を制御して、係止部材の鍵を施錠し（開閉機構を閉状態とし）、立体カバー４０３を開けられないようにする（Ｓ６０３）。
【００３６】
鍵を施錠すると、ＣＰＵ３０１は、リーダ／ライタ２０３を制御して、携帯電話１０１内にあるＩＣチップが発信する電波を読み取る（Ｓ６０５）。リーダ／ライタ２０３は、所定の時間間隔で電波を読み取るポーリングを行っており、電波を読み取るとＣＰＵ３０１に通知する。このとき、格納部２０１内に複数の携帯電話もしくは携帯電話とＩＣカードがあった場合、リーダ／ライタ２０３は複数の電波を検知することになる。ＣＰＵ３０１は、例えば、所定の一定時間を計時する機能を備えており、リーダ／ライタ２０３がこの一定時間以内に複数の異なる電波を受信した場合は、格納部２０１内に複数の異なる携帯電話１０１もしくはＩＣカードが存在すると判定する。
【００３７】
リーダ／ライタ２０３が複数の電波を検知した場合は（Ｓ６０７のＹｅｓ）、ＣＰＵ３０１は、ディスプレイ２０９に警告を表す文言を表示して係止部材の鍵を解錠する（開閉機構を開状態とする）（Ｓ６０９）。利用者は立体カバー４０３を開けて携帯電話１０１もしくはＩＣカードを取り出し、再度携帯電話１０１を格納する。
リーダ／ライタ２０３が１つの電波のみを検知した場合は（Ｓ６０７のＮｏ）、ＣＰＵ３０１は、電子マネーの入金処理を行う（Ｓ６１１）。すなわち、ＣＰＵ３０１は、リーダ／ライタ２０３を制御し、リーダ／ライタ２０３が携帯電話１０１のＩＣチップのデータを読み取りまたは書込みを行う。電子マネーの入金処理に係る一連の処理が終了すると、金銭取扱装置１０３は、係止部材の鍵を解錠し（開閉機構を開状態とし）（Ｓ６１３）、利用者は立体カバー４０３を開けて携帯電話１０１を取り出す（Ｓ６１５）。
【００３８】
以上説明したように、第１の実施形態によれば、金銭取扱装置１０３は、開閉機構を有し、携帯電話１０１を格納する格納部２０１と、格納部２０１の下部に設けられ、携帯電話１０１に記憶されるデータの読み取りおよび／または書き込みを行うリーダ／ライタ２０３と、格納部２０１とリーダ／ライタ２０３を制御し、金銭に係る処理を行う制御部と、を具備し、制御部は、携帯電話１０１が格納されると格納部２０１の開閉機構を閉状態とし、一連の処理が終了すると格納部２０１の開閉機構を開状態とする。第１の実施形態における格納部２０１は、携帯電話１０１が戴置されるテーブルと、テーブルの上部を覆う立体カバー４０３とを備え、格納部２０１の開閉機構は、立体カバー４０３をテーブルに係り止めする係止部材の鍵を解錠または施錠するものである。これによって、金銭に係る一連の処理（トランザクション）の完全性を保つことができる。
【００３９】
また、図７、図８を参照にしながら、金銭取扱装置１０３の格納部２０１の第２の実施形態について説明する。
図７は、金銭取扱装置１０３の格納部２０１を構成するシャッタ７０１が開いた状態の外観図である。
【００４０】
格納部２０１は、金銭取扱装置１０３の水平面に設けられたボックスと、ボックスを覆うシャッタ７０１とを有する。ボックスの側面には、赤外線センサ７０３が取り付けられている。赤外線センサ７０３は、赤外線を発光する発光部と赤外線を受光し電気信号に変換する受光部からなる。図７に示す設置位置の他に、発光部または受光部のいずれかをシャッタ７０１の側面に設置するようにしても良い。
【００４１】
シャッタ７０１は、透明な材料、例えばプラスチック等で成型したものであることが望ましい。これは、シャッタ７０１を閉じた状態でも利用者が中の携帯電話１０１を目視できるようにするためである。これにより、金銭取扱装置１０３が処理中に、携帯電話１０１に着信またはメール受信等があった場合に利用者が検知でき、処理を中断させることが可能になる。
【００４２】
さらに、シャッタ７０１は、外部からの電波を遮断するものが望ましい。そのために、シャッタ７０１は導電性シールド部材で覆われ、導電性シールド部材の導電性コイルに渦電流を発生させて外部電波からの通信を遮断する。これにより、格納部２０１に携帯電話１０１が格納されているときに、シャッタ７０１の外側で他の携帯電話が置かれても、リーダ／ライタ２０３は外側の携帯電話内のＩＣチップが発する電波を読み取ることがなくなる。
【００４３】
赤外線センサ７０３は、シャッタ７０１のスライド面を遮る物体を検知する。赤外線センサ７０３は、利用者や携帯電話１０１などシャッタ７０１のスライド面を遮る物体を一度検知した後、一定時間シャッタ７０１のスライド面を遮る物体を検知しなくなった場合、ＣＰＵ３０１に通知する。この通知を受けると、ＣＰＵ３０１は、シャッタ７０１を制御して、閉じる。
【００４４】
図８は、格納部２０１のシャッタ７０１が閉じた状態の外観図である。
シャッタ７０１は、透明の材料で成型されているため、中にある携帯電話１０１が利用者に目視できるようになっている。
【００４５】
続いて、図９を参照にしながら、発明の金銭取扱装置１０３の処理の一例について説明する。
図９は、本発明の金銭取扱装置１０３の第２の実施形態に係る処理の流れを示すフローチャートである。
【００４６】
まず、利用者が携帯電話１０１を格納部２０１のボックスに置く（Ｓ９０１）。利用者の手が赤外線センサ７０３を遮っている間は、赤外線センサ７０３は物体があると認識してＣＰＵ３０１に通知を行わず、ＣＰＵ３０１はシャッタ７０１を開いたままとする（開閉機構を開状態に維持する）（Ｓ９０３のＹｅｓ）。利用者の手が除かれると、赤外線センサ７０３は遮る物体がないと判断してＣＰＵ３０１に通知し（Ｓ９０３のＮｏ）、この通知を受けてＣＰＵ３０１はシャッタ７０１を閉じる（開閉機構を閉状態とする）（Ｓ９０５）。
シャッタ７０１が閉じると、リーダ／ライタ２０３は携帯電話１０１内のＩＣチップが発信する電波を読み取る（Ｓ９０７）。
【００４７】
このとき、格納部２０１内に複数の携帯電話もしくは携帯電話とＩＣカードがあった場合、リーダ／ライタ２０３は複数の電波を検知することになる。ＣＰＵ３０１は、例えば、所定の一定時間を計時する機能を備えており、リーダ／ライタ２０３がこの一定時間以内に複数の異なる電波を受信した場合は、格納部２０１内に複数の異なる携帯電話１０１もしくはＩＣカードが存在すると判定する。
【００４８】
リーダ／ライタ２０３が複数の電波を検知した場合は（Ｓ９０９のＹｅｓ）、ディスプレイ２０９に警告を表す文言を表示してシャッタ７０１を開ける（開閉機構を開状態とする）（Ｓ９１１）。利用者は携帯電話１０１もしくはＩＣカードを取り出し、再度携帯電話を格納する。
リーダ／ライタ２０３が１つの電波のみを検知した場合は（Ｓ９０９のＮｏ）、ＣＰＵ３０１は、電子マネーの入金処理を行う（Ｓ９１３）。処理が終了すると、ＣＰＵ３０１は、シャッタ７０１を開け（開閉機構を開状態とし）（Ｓ９１５）、利用者は携帯電話１０１を取り出す。
【００４９】
以上説明したように、第２の実施形態における格納部２０１は、底部に携帯電話１０１が戴置されるボックスと、ボックスの上部を遮蔽するシャッタ７０１とを備え、格納部２０１の開閉機構は、シャッタ７０１をスライドするものである。これによって、金銭に係る一連の処理（トランザクション）の完全性を保つことが可能となる。
また、第１、第２の実施形態はともに、非接触通信を対象としているが、接触通信でも同様にトランザクションの完全性を保つことができる。
さらに、本発明における実施形態は、電子マネーの他の処理、ＡＴＭ（現金自動預け払い機）による処理等にも適用することが可能である。
【００５０】
以上、添付図面を参照しながら、本発明に係る金銭取扱装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００５１】
１０１………携帯電話
１０３………金銭取扱装置
１０５………ネットワーク
１０７………サーバ
２０１………格納部
２０３………リーダ／ライタ
２０５………印刷物排出口
２０７………テンキー
２０９………ディスプレイ
【図１】
2011070518.tif 000003
【図２】
2011070518.tif 000004
【図３】
2011070518.tif 000005
【図４】
2011070518.tif 000006
【図５】
2011070518.tif 000007
【図６】
2011070518.tif 000008
【図７】
2011070518.tif 000009
【図８】
2011070518.tif 000010
【図９】
2011070518.tif 000011